(57)【特許請求の範囲】
【請求項１】
第１反射体及び第２反射体を含む反射体と、
前記第１反射体で光を放出する第１胴体、前記第２反射体で光を放出する第２胴体、及び前記第１胴体と前記第２胴体との間に配置された中間胴体を含む光源部と、を含み、
前記第１胴体は、第１ヒンジ部を含み、
前記第２胴体は、第２ヒンジ部を含み、
前記中間胴体は、前記第１ヒンジ部及び前記第２ヒンジ部と脱着自在に結合する、照明装置。
【請求項２】
前記照明装置は、前記反射体と前記光源部とが配置されたハウジングをさらに含み、
前記光源部は、
前記１胴体及び前記第２胴体の間に配置されて、前記第１胴体及び前記第２胴体の間の間隔が離れる方向で弾性力を提供するスプリングをさらに含む、請求項１に記載の照明装置。
【請求項３】
前記第１胴体は、前記第１反射体に向けて傾いた第１傾斜面と前記第１傾斜面上に配置された第１発光素子とを含み、
前記第２胴体は、前記第２反射体に向けて傾いた第２傾斜面と前記第２傾斜面上に配置された第２発光素子とを含み、
前記中間胴体は、前記第１ヒンジ部及び前記第２ヒンジ部がそれぞれ挿入される挿入溝を有し、前記スプリングが配置された、請求項２に記載の照明装置。
【請求項４】
前記第１胴体は、前記第１傾斜面を有する第１発光溝を含み、
前記第２胴体は、前記第２傾斜面を有する第２発光溝を含む、請求項３に記載の照明装置。
【請求項５】
前記第１発光溝内には、前記第１傾斜面上に配置された第１基板、前記第１基板上に配置された前記第１発光素子、及び前記第１発光素子上に配置された第１光学構造物を含み、
前記第２発光溝内には、前記第２傾斜面上に配置された第２基板、前記第２基板上に配置された前記第２発光素子、及び前記第２発光素子上に配置された第２光学構造物を含む、請求項４に記載の照明装置。
【請求項６】
前記第１光学構造物又は前記第２光学構造物は、
レンズ、拡散シート（ｄｉｆｆｕｓｉｏｎ ｓｈｅｅｔ）、及び光励起フィルム（Ｐｈｏｓｐｈｏｒ Ｌｕｍｉｎｅｓｃｅｎｔ Ｆｉｌｍ、ＰＬＦ）のうちで少なくとも一つを含む、請求項５に記載の照明装置。
【請求項７】
前記中間胴体は、補助発光素子を含む、請求項３ないし６のいずれか一項に記載の照明装置。
【請求項８】
前記中間胴体は、第３発光溝を含み、
前記補助発光素子は、前記第３発光溝内に配置された、請求項７に記載の照明装置。
【請求項９】
前記反射体と前記光源部が配置されたハウジングをさらに含み、
前記第１胴体は、前記第１発光素子で前記ハウジングの外部に直接放出される光を遮断するための突出部を含む、請求項３ないし８のいずれか一項に記載の照明装置。
【請求項１０】
前記突出部の少なくとも一部分は、前記第１発光素子と前記ハウジングの一端を繋いだ仮想の線上に配置された、請求項９に記載の照明装置。
【請求項１１】
前記中間胴体及び前記第１胴体の間の接近距離と前記中間胴体及び前記第２胴体の間の接近距離に基づいて、前記第１発光素子と前記第２発光素子に供給される電源を遮断または連結するリミットスイッチをさらに含む、請求項３ないし１０のいずれか一項に記載の照明装置。
【請求項１２】
前記照明装置は、前記ハウジングに配置されて、前記第１胴体及び前記第２胴体と結合する第１挿入溝を有し、前記第１挿入溝内部に第１連結端子が配置された結合部材と、をさらに含み、
前記反射体は、前記ハウジング及び前記結合部材の間に配置され、
前記光源部の中間胴体は、前記第１連結端子と結合する第２連結端子を含む、請求項２ないし１１のいずれか一項に記載の照明装置。
【請求項１３】
前記第１挿入溝の内側壁面は複数の溝を有し、
前記第１胴体は突出端を有し、
前記突出端は、前記複数の溝のいずれか一つに挿入される、請求項１２に記載の照明装置。
【請求項１４】
前記第１挿入溝の内側壁面は傾斜した、請求項１３に記載の照明装置。
【請求項１５】
前記第１連結端子は、一列に配列された第１ないし第４端子を含み、
前記第２連結端子は、前記第１ないし第４端子と対応する第１ないし第４ソケットを含み、
前記第１端子と前記第２端子及び前記第３端子と前記第４端子は、極性が互いに異なり、
前記第１端子と前記第４端子及び前記第２端子と前記第３端子は、極性が同じ、請求項１２ないし１４のいずれか一項に記載の照明装置。
【請求項１６】
前記第１連結端子は、前記第１ないし第４端子を有する雌ブロックを含み、
前記第２連結端子は、前記第１ないし第４ソケットを有する雄ブロックを含む、請求項１５に記載の照明装置。
【請求項１７】
前記第１連結端子は、第１雌ブロックと第２雌ブロックを含み、
前記第１雌ブロックは、一対以上の端子を含み、
前記第２雌ブロックは、一対以上の端子を含み、
前記第１雌ブロックの一対以上の端子と前記第２雌ブロックの一対以上の端子は、互いに対称的な構造と極性を有し、
前記第２連結端子は、第１雄ブロックと第２雄ブロックを含み、
前記第１雄ブロックは、前記第１雌ブロックの一対の端子と対応する一対以上のソケットを含み、
前記第２雄ブロックは、前記第２雌ブロックの一対の端子と対応する一対以上のソケットを含む、請求項１２ないし１４のいずれか一項に記載の照明装置。
【請求項１８】
前記ハウジングと前記反射体との間に配置されて、前記光源部と前記結合部材の結合時、前記光源部に電源及び駆動信号のうちで少なくとも一つを提供する電源駆動部をさらに含む、請求項１２ないし１７のいずれか一項に記載の照明装置。
【発明の詳細な説明】
【技術分野】
【０００１】
実施例は、照明装置に関するものである。
【背景技術】
【０００２】
発光ダイオード(ＬＥＤ)は、電気エネルギーを光に変化する半導体素子の一種である。発光ダイオードは、蛍光灯及び白熱灯など既存の光源に比べて低消費電力、半永久的な寿命、早い応答速度、安全性及び環境親和性の長所を有する。これに既存の光源を発光ダイオードで取り替えるための多くの研究が進行されているし、発光ダイオードは室内外で使用される各種ランプ、液晶表示装置、電光板及び街灯などの照明装置の光源として使用が増加されている成り行きである。
【発明の概要】
【発明が解決しようとする課題】
【０００３】
実施例は、新しい構造を有する照明装置を提供することに目的がある。
【０００４】
実施例は、入れ替え及び組み立てが容易な照明装置を提供することに目的がある。
【課題を解決するための手段】
【０００５】
実施例による照明装置は、下部一側面に第１傾斜面が形成されて、下部他側面に突出された第１ヒンジ部が形成された第１胴体、下部一側面に第２傾斜面が形成されて、下部他側面に突出された第２ヒンジ部が形成された第２胴体、下部両側面に挿入溝がそれぞれ形成されて、前記挿入溝に前記第１ヒンジ部及び前記第２ヒンジ部がそれぞれ挿入されて、前記第１胴体及び前記第２胴体を両側に脱着自在に結合する中間胴体、及び前記第１傾斜面及び前記第２傾斜面にそれぞれ設置された主発光ダイオードモジュール、を含む。
【０００６】
他の実施例による照明装置は、ハウジング、該ハウジングの内側上面に結合されて、中間部分に前記ハウジングの内側上面に向ける方向で第１挿入溝が形成されて、前記第１挿入溝の中間部分に第１連結端子が設置された結合部材、前記ハウジングの内側壁面と前記結合部材の外側壁面との間に結合される一つ以上の反射体、及び光源部を含んで、前記光源部は、上部に前記第１挿入溝を通じて前記結合部材と脱着自在に結合される第１結合部が形成されて、下部一側面に前記反射体に向けて傾いた第１傾斜面が形成されて、下部他側面に突出された第１ヒンジ部が形成された第１胴体、上部に前記第１挿入溝を通じて前記結合部材と脱着自在に結合される第２結合部が形成されて、下部一側面に前記反射体に向けて傾いた第２傾斜面が形成されて、下部他側面に突出された第２ヒンジ部が形成された第２胴体、下部両側面に第２挿入溝がそれぞれ形成されて、前記第２挿入溝に前記第１ヒンジ部及び前記第２ヒンジ部がそれぞれ挿入されて、前記第１胴体及び前記第２胴体を両側に脱着自在に結合して、前記光源部と前記結合部材の結合時、上部に前記第１連結端子と電気的に連結される前記第２連結端子が設置された中間胴体、及び前記第１傾斜面及び前記第２傾斜面にそれぞれ設置された主発光ダイオードモジュール、を含む。
【発明の効果】
【０００７】
実施例によれば、新しい構造を有する照明装置を提供することができる。
【０００８】
実施例によれば、入れ替え及び組み立てが容易な照明装置を提供することができる。
【図面の簡単な説明】
【０００９】
【図１】実施例による照明装置の斜視図である。
【図２】実施例による照明装置の分解斜視図である。
【図３】実施例による照明装置の断面図である。
【図４ａ】図３に示された結合部材の断面図である。
【図４ｂ】図３のＡ領域を拡大した図面である。
【図４ｃ】実施例による発光溝に搭載された発光ダイオードの配光角度を示した図面である。
【図５】実施例による光源部の斜視図である。
【図６】実施例による光源部の分解斜視図である。
【図７】実施例による照明装置の第１連結端子と第２連結端子との結合関係を示した斜視図である。
【図８ａ】実施例による照明装置の第１連結端子と第２連結端子の上面図である。
【図８ｂ】実施例による照明装置の第１連結端子と第２連結端子の上面図である。
【図９】実施例による光源部と結合部材の結合及び分離過程を示した図面である。
【図１０】同じく、実施例による光源部と結合部材の結合及び分離過程を示した図面である。
【図１１ａ】実施例によるリミットスイッチの動作を説明するために示した図面である。
【図１１ｂ】実施例によるリミットスイッチの動作を説明するために示した図面である。
【図１２】変形例による照明装置の断面図である。
【図１３】変形例による照明装置の断面図である。
【発明を実施するための形態】
【００１０】
以下、実施例に対して添付した図面を参照して詳細に説明する。但し、添付された図面は実施例の内容をより易しく開示するために説明されるものであるだけで、本発明の範囲が添付された図面の範囲に限定されるものではないことは、この技術分野の通常の知識を有した者なら容易に分かることができるであろう。
【実施例】
【００１１】
図１は、実施例による照明装置の斜視図である。図２は、実施例による照明装置の分解斜視図である。図３は、実施例による照明装置の断面図である。図４aは、図３に示された結合部材の断面図である。図４ｂは、図３のＡ領域を拡大した図面である。図４ｃは、実施例による発光溝に搭載された発光ダイオードの配光角度を示した図面である。
【００１２】
図１ないし図４ｃを参照すれば、実施例による照明装置はハウジング１００、結合部材１１０、反射体２００、光源部３００、及び電源駆動部４００を含む。
【００１３】
１．ハウジング１００及び結合部材１１０
ハウジング１００は、結合部材１１０、反射体２００、及び電源駆動部４００を収容することができる箱(box)の形態で形成されたものであることができる。ハウジング１００の形状は、外部で眺めた時に四角形であることができるが、これに限定されるものではなく、多様な形状を有することができる。
【００１４】
ハウジング１００は、熱を効果的に放出することができる物質に形成されたものであることができる。例えば、ハウジング１００は、アルミニウム(Ａｌ)、スズ(Ｓｎ)、ニッケル(Ｎｉ)、銀(Ａｇ)、銅(Ｃｕ)、チタン(Ｔｉ)、モリブデン(Ｍｏ)、タングステン(Ｗ)、金(Ａｕ)、白金(Ｐｔ)などの金属に形成されたものであることができる。
【００１５】
ハウジング１００の側面及び/または上面には電源駆動部４００を外部の電源と電気的に連結するための連結溝１０７が形成されることができる。
【００１６】
ハウジング１００は、光源部３００から放出される光が反射体２００によって反射されて出射されることができるように開口部１０１を有する。
【００１７】
一方、照明装置を天井や壁面などの外部支持部材に設置する場合、外部支持部材に照明装置の形状に対応する挿入部を形成して、挿入部に照明装置を挿入して固定させるようになる。この時、ハウジング１００側面の下端部には結合フレーム５００が結合されて、照明装置を外部支持部材に堅く結合することができる。
【００１８】
結合部材１１０は、ハウジング１００の内側上面上に結合されることができる。結合部材１１０は、多様な方法でハウジング１００に結合されることができる。例えば、結合部材１１０は結合ネジ、接着剤などによってハウジング１００に結合されることができる。
【００１９】
結合部材１１０は、ハウジング１００の上面１０２に第１方向に長く延長されるように形成されたものであることができる。例えば、結合部材１１０は、ハウジング１００の一内側壁面から反対側の内側壁面まで延長されるように形成されることができる。
【００２０】
ハウジング１００と結合部材１１０は、反射体２００が脱着されることができるように形成されることができる。
【００２１】
ハウジング１００の内側壁面には、反射体２００の第１側２１０が挿入されることができる第２溝１０３が形成されることができる。第２溝１０３は一つに形成されることができるし、複数個に形成されることもできる。
【００２２】
結合部材１１０の外側壁面には第１溝１１１が形成されることができる。第１溝１１１は第１方向に長く延長されるように形成されたものであることができる。第１溝１１１には反射体２００の第２側２２０が挿入されることができる。
【００２３】
反射体２００の第１側２１０がハウジング１００の第２溝１０３に挿入されて、第２側２２０が結合部材１１０の第１溝１１１に挿入されることで、ハウジング１００と結合部材１１０は反射体２００を固定及び支持することができる。
【００２４】
結合部材１１０の中間部分には第１挿入溝１１２が形成されることができる。第１挿入溝１１２は光源部３００の一部が挿入されることができる。第１挿入溝１１２は第１方向に長く延長されるように形成されたものであることができる。
【００２５】
第１挿入溝１１２の内側壁面には複数の第３溝１１３が形成されることができる。第３溝１１３には光源部３００の突出端３１３が挿入されることができる。これによって第３溝１１３は光源部３００を結合部材１１０に堅く結合させることができる。光源部３００及び結合部材１１０との結合関係に対するより詳細な説明は後述するようにする。
【００２６】
第１挿入溝１１２内部の中間部分には第１連結端子１２０が形成されることができる。光源部３００が第１挿入溝１１２に挿入される場合、第１連結端子１２０は光源部３００の第２連結端子３３６と結合されて電気的に連結されることができる。第１連結端子１２０と第２連結端子３３６が連結される場合、第１連結端子１２０と第２連結端子３３６を通じて電源及び/または駆動信号を光源部３００に伝達することができる。
【００２７】
第１連結端子１２０は、照明装置の設計によって一つまたは複数個に形成されることができる。
【００２８】
第１連結端子１２０に対するより詳細な説明は、第２連結端子３３６に対する詳細な説明と共に後述するようにする。
【００２９】
また、結合部材１１０は、光源部３００で発生された熱を直接放出するか、またはハウジング１００に伝達する役割をすることができる。
【００３０】
結合部材１１０は、熱を効果的に放出及び/または伝達することができる物質に形成されることが望ましい。例えば、結合部材１１０は、アルミニウム(Ａｌ)、スズ(Ｓｎ)、ニッケル(Ｎｉ)、銀(Ａｇ)、銅(Ｃｕ)、チタン(Ｔｉ)、モリブデン(Ｍｏ)、タングステン(Ｗ)、金(Ａｕ)、白金(Ｐｔ)などの金属に形成されたものであることができる。
【００３１】
結合部材１１０の一部領域は、凹凸１１６構造を有することができる。凹凸１１６は結合部材１１０の表面積を広げてくれることで熱放出効率を向上させることができる。
【００３２】
２．反射体２００
反射体２００は、第１反射体２００aと第２反射体２００ｂを含むことができる。第１反射体２００aと第２反射体２００ｂは、ハウジング１００及び結合部材１１０との結合及び分離が可能である。
【００３３】
例えば、第２反射体２２０ｂがハウジング１００及び結合部材１１０に結合される場合、図２に示されたところのように、第２反射体２２０ｂの第２側２２０が結合部材１１０の第１溝１１１に挿入されて、第１側２１０がハウジング１００の第２溝１０３に挿入されることで結合されることができる。反射体２００の第２側２２０は段差を有するように形成されることができる。また、反射体２００の第１側２１０も段差を有するように形成されることができる。また、第１側２１０には一つ以上の挿入端２１１が形成されることができる。反射体２００の第１側２１０には第２溝１０３に挿入されることができる少なくとも一つの挿入端２１１が形成されることができる。第２溝１０３は挿入端２１１の形状に対応されるように形成されたものであることができる。
【００３４】
第１反射体２００aと第２反射体２００ｂとは、放物線形態の面を有して、第１方向に延長されるように形成されたものであることができる。これによって、第１反射体２００aと第２反射体２００ｂとは、二個の放物面を有するパラボラ(parabola)形態をなすことができる。但し、反射体２００の形態は、所望の照明によって多様に変形されることができる。
【００３５】
反射体２００は、反射効率が高い金属材質または樹脂材質に形成されたものであることができる。例えば、樹脂材質はＰＥＴ、ＰＣ、ＰＶＣレジンのうちでいずれか一つを含むことができる。また、金属材質は、銀(Ａｇ)、銀(Ａｇ)を含んだ合金、アルミニウム(Ａｌ)及びアルミニウム(Ａｌ)を含んだ合金のうちで少なくとも一つを含むことができる。
【００３６】
反射体２００の表面は、銀(Ａｇ)、アルミニウム(Ａｌ)、白色のＰＳＲ(photo solder resist)インク、拡散シートなどでコーティングされるか、またはアノダイジング(anodizing)処理による酸化膜が形成されることができる。
【００３７】
但し、反射体２００の材質及び色相に対して限定しなくて、これは照明装置が具現しようとする照明によって多様に選択されることができる。
【００３８】
３．電源駆動部４００
電源駆動部４００は、光源部３００と連結される場合電源及び駆動信号のうちで少なくとも一つを提供することができる。
【００３９】
図２及び図３に示されたところのように、電源駆動部４００はハウジング１００の内部面と放物線形態の反射体２００の間で提供される空間上に設置されることができる。すなわち、反射体２００の放物線形態によって反射体２００とハウジング１００の角部分の間には空き空間が形成されるが、この空き空間上に電源駆動部４００が設置されることができる。
【００４０】
電源駆動部４００は、外部から入力されるＡＣ電源をＤＣ電源に変換して出力することができる。
【００４１】
電源駆動部４００は、光源部３００とワイヤまたは軟性印刷回路基板(ＦＰＣＢ)などによって電気的に連結されることができる。例えば、ワイヤまたはＦＰＣＢは電源駆動部４００から延長されて、結合部材１１０に形成された連結ホールを通じて第１連結端子１２０に電気的に連結されて、第１連結端子１２０は第２連結端子３３６に電気的に連結されることで、電源駆動部４００と光源部３００が電気的に連結されることができる。
【００４２】
４．光源部３００
図４aは、図３に示された結合部材の断面図である。図４ｂは、図３のＡ領域を拡大した図面である。図４ｃは、実施例による発光溝に搭載された発光ダイオードの配光角度を示した図面である。図５は、実施例による光源部３００の斜視図である。図６は、実施例による光源部３００の分解斜視図である。
【００４３】
図４aないし図６を参照すれば、実施例による光源部３００は、第１胴体３１０、第２胴体３２０、中間胴体３３０、第１主発光ダイオードモジュール３１３、３１４、３１５、第２主発光ダイオードモジュール３２３、３２４、３２５、補助発光ダイオードモジュール３３２、３３３、３３４、及びスプリング３４０を含む。第１胴体３１０、第２胴体３２０、中間胴体３３０は光源部３００の胴体をなす。光源部３００は第１方向すなわち、反射体２００の長さ方向に沿って延長されるように形成されたものであることができる。
【００４４】
以下、光源部３００の構成に対してより詳しく説明する。
【００４５】
１)第１胴体３１０
第１胴体３１０の上部には、第１結合部３１０aが形成されることができる。第１結合部３１０aは第１胴体３１０の上部を構成して、結合部材１１０の第１挿入溝１１２に挿入される部分になる。
【００４６】
第１結合部３１０aの上端には第１突出端３１０ｃが形成されることができる。第１突出端３１０ｃは第１結合部３１０aの上端の一部が外側に突出された形状であることができる。
【００４７】
第１胴体３１０の下部一側面には第１発光溝３１２が形成されることができる。第１発光溝３１２の底面は第１傾斜面３１０ｂを有するように形成されることができる。第１傾斜面３１０ｂは第１反射体２００aの放物面を眺めるように形成されることができる。但し、第１胴体３１０は第１傾斜面３１０ｂ以外にも複数の傾斜面が形成されることができる。
【００４８】
第１発光溝３１２内には第１主発光ダイオードモジュール３１３、３１４、３１５が設置されることができる。第１主発光ダイオードモジュール３１３、３１４、３１５は第１基板３１３、複数の主発光ダイオード３１４、及び第１光学構造物３１５を含むことができる。
【００４９】
第１基板３１３は、第１傾斜面３１０ｂに沿って第１発光溝３１２の底面上に設置されることができる。
【００５０】
複数の主発光ダイオード３１４は、第１傾斜面３１０ｂに沿って第１基板３１３上に設置されて、第１基板３１３と電気的に連結される。または、第１傾斜面３１０ｂ上に複数個の電極(図示せず)が設置されて、複数個の電極(図示せず)とそれぞれ電気的に連結されることもできる。このような、複数の主発光ダイオード３１４は第１発光溝３１２内でアレイ形態に配置されることができる。
【００５１】
複数の主発光ダイオード３１４は、赤色、緑色、青色または白色の光を放出する赤色、緑色、青色または白色発光ダイオードのうちで多様な組合を有するように選択されることができる。
【００５２】
複数の主発光ダイオード３１４は、電源駆動部４００から提供される電源及び/または駆動信号によって制御されて、選択的に発光するか、または輝度が調節されることができる。
【００５３】
第１光学構造物３１５は、複数の主発光ダイオード３１４上に設置されることができる。第１光学構造物３１５は、複数の主発光ダイオード３１４から放出される光の配光及び色感を調節する一方、必要によって多様な輝度及び色感を有する感性照明を具現することができる。
【００５４】
第１光学構造物３１５は、両側端が第１発光溝３１２の内側面に形成された第４溝３１２aにスライディング方式に挿入されて、第１発光溝３１２内に結合されることができる。より具体的に、第４溝３１２aは第１方向に長く延長されるように形成されることができるし、第１光学構造物３１５は第４溝３１２aに第１方向に挿入されることで、第１発光溝３１２内に結合されることができる。
【００５５】
第１光学構造物３１５は、レンズ、拡散シート(diffusion sheet)、及び光励起フィルム(Phosphor Luminescent Film、ＰＬＦ)のうちで少なくとも一つを含むことができる。
【００５６】
レンズは照明装置の設計によって、凹型レンズ、凸型レンズ、集光レンズなど多様な形状を有するレンズらを含むことができる。
【００５７】
拡散シートは、複数の主発光ダイオード３１４から放出された光を均一に拡散させることができる。
【００５８】
光励起フィルム(ＰＬＦ)は、蛍光体を含むフィルムである。光励起フィルム(ＰＬＦ)に含まれた蛍光体は、複数の主発光ダイオード３１４から放出される光によって励起されるので、照明装置は複数の主発光ダイオード３１４から放出される第１光と蛍光体によって励起された第２光が混色されて多様な色感を有する感性照明を具現することができる。例えば、複数の主発光ダイオード３１４が青色光を発光して、光励起フィルム(ＰＬＦ)が青色光によって励起される黄色蛍光体を含む場合、照明装置は青色光及び黄色光が混色されて白色光を発光することができる。
【００５９】
第１光学構造物３１５は、第４溝３１２aを通じて第１発光溝３１２に容易に結合されることができるので、使用者の必要によってレンズ、拡散シート、光励起フィルムのうちでいずれか一つで容易に入れ替えされて使用されることができる。
【００６０】
第１発光溝３１２の深さと幅は、第１発光溝３１２内に設置された複数の主発光ダイオード３１４の配光分布によって多様に調節されることができる。すなわち、照明装置は第１発光溝３１２の深さと幅を調節して、光源部３００から放出される光が使用者に直接提供されないで、反射体２００によって提供されるようにできる。これによって、使用者に眩しさ(glare)が減少されて仄かな光を提供することができる。
【００６１】
第１発光溝３１２を通じて出射される光の配光角度が９０°ないし１１０°であることがあって、第１発光溝３１２の深さと幅は、第１発光溝３１２を通じて出射される光が反射体２００の全領域に対して均一に入射されることができるように形成されることができる。
【００６２】
また、第１発光溝３１２の深さと幅は、複数の主発光ダイオード３１４から放出される光の一部が開口部１０１を通じて外部に放出されて、残り一部が反射体２００によって反射された後開口部１０１を通じて外部に放出されることができるように調節されることもできる。
【００６３】
第１胴体３１０の下部他側面には第１ヒンジ部３１１が形成されることができる。第１ヒンジ部３１１は外側に突出された形態を有することができる。また、第１ヒンジ部３１１は第１方向に延長されて形成されたものであることができる。
【００６４】
２)第２胴体３２０
第２胴体３２０の上部には第２結合部３２０aが形成されることができる。第２結合部３２０aは第２胴体３２０の上部を構成して、結合部材１１０の第１挿入溝１１２に挿入される部分になる。
【００６５】
第２結合部３２０aの上端には第２突出端３２０ｃが形成されることができる。第２突出端３２０ｃは第２結合部３２０aの上端の一部が外側に突出された形状であることができる。
【００６６】
第２胴体３２０の下部一側面には、第２発光溝３２２が形成されることができる。第２発光溝３２２の底面は第２傾斜面３２０ｂを有するように形成されることができる。第２傾斜面３２０ｂは第２反射体２００ｂの放物面を眺めるように形成されることができる。但し、第２胴体３２０は第１傾斜面３１０ｂ以外にも複数の傾斜面が形成されることができる。
【００６７】
第２発光溝３２２内には第２主発光ダイオードモジュール３２３、３２４、３２５が設置されることができる。第２主発光ダイオードモジュール３２３、３２４、３２５は第１基板３２３、複数の主発光ダイオード３２４、及び第１光学構造物３２５を含むことができる。
【００６８】
第１基板３２３は、第１傾斜面３１０ｂに沿って第１発光溝３１２の底面上に設置されることができる。
【００６９】
複数の主発光ダイオード３２４は、第１傾斜面３１０ｂに沿って第１基板３２３上に設置されて、第１基板３２３と電気的に連結される。または、第２傾斜面３２０ｂ上に複数個の電極(図示せず)が設置されて、複数個の電極(図示せず)とそれぞれ電気的に連結されることもできる。このような、複数の主発光ダイオード３２４は、第２発光溝３２２内でアレイ形態に配置されることができる。
【００７０】
複数の主発光ダイオード３２４は、赤色、緑色、青色または白色の光を放出する赤色、緑色、青色または白色発光ダイオードのうちで多様な組合を有するように選択されることができる。
【００７１】
複数の主発光ダイオード３２４は、電源駆動部４００から提供される電源及び/または駆動信号によって制御されて、選択的に発光するか、または輝度が調節されることができる。
【００７２】
第１光学構造物３２５は、複数の主発光ダイオード３２４上に設置されることができる。第１光学構造物３２５は、複数の主発光ダイオード３２４から放出される光の配光及び色感を調節する一方、必要によって多様な輝度及び色感を有する感性照明を具現することができる。
【００７３】
第１光学構造物３２５は、両側端が第２発光溝３２２の内側面に形成された第４溝３２２aにスライディング方式に挿入されて、第２発光溝３２２内に結合されることができる。より具体的に、第４溝３２２aは第１方向に長く延長されるように形成されることができるし、第１光学構造物３２５は第４溝３２２aに第１方向に挿入されることで第２発光溝３２２内に結合されることができる。
【００７４】
第１光学構造物３２５は、レンズ、拡散シート(diffusion sheet)、及び光励起フィルム(Phosphor Luminescent Film、ＰＬＦ)のうちで少なくとも一つを含むことができる。
【００７５】
レンズは照明装置の設計によって、凹型レンズ、凸型レンズ、集光レンズなど多様な形状を有するレンズらを含むことができる。
【００７６】
拡散シートは、複数の主発光ダイオード３２４で放出された光を均一に拡散させることができる。
【００７７】
光励起フィルム(ＰＬＦ)は、蛍光体を含むフィルムである。光励起フィルム(ＰＬＦ)に含まれた蛍光体は複数の主発光ダイオード３２４から放出される光によって励起されるので、照明装置は複数の主発光ダイオード３２４から放出される第１光と蛍光体によって励起された第２光が混色されて多様な色感を有する感性照明を具現することができる。例えば、複数の主発光ダイオード３２４が青色光を発光して、光励起フィルム(ＰＬＦ)が青色光によって励起される黄色蛍光体を含む場合、照明装置は青色光及び黄色光が混色されて白色光を発光することができる。
【００７８】
第１光学構造物３２５は、第４溝３２２aを通じて第２発光溝３２２に容易に結合されることができるので、使用者の必要によってレンズ、拡散シート、光励起フィルムのうちでいずれか一つで容易に入れ替えされて使用されることができる。
【００７９】
第２発光溝３２２の深さと幅は、第２発光溝３２２内に設置された複数の主発光ダイオード３２４の配光分布によって多様に調節されることができる。すなわち、照明装置は第２発光溝３２２の深さと幅を調節して、光源部３００から放出される光が使用者に直接提供されないで、反射体２００によって提供されるようにすることができる。これによって、使用者に眩しさ(glare)が減少されて仄かな光を提供することができる。
【００８０】
第２発光溝３２２を通じて出射される光の配光角度が９０°ないし１１０°であることがあって、第２発光溝３２２の深さと幅は、第２発光溝３２２を通じて出射される光が反射体２００の全領域に対して均一に入射されることができるように形成されることができる。
【００８１】
また、第２発光溝３２２の深さと幅は、複数の主発光ダイオード３２４から放出される光の一部が開口部１０１を通じて外部に放出されて、残り一部が反射体２００によって反射された後開口部１０１を通じて外部に放出されることができるように調節されることもできる。
【００８２】
第２胴体３２０の下部他側面には、第２ヒンジ部３２１が形成されることができる。第２ヒンジ部３２１は、外側に突出された形態を有することができる。また、第２ヒンジ部３２１は第１方向に延長されて形成されたものであることができる。
【００８３】
前述したところのように、第１胴体３１０及び第２胴体３２０は、等しい構造でなされることができるし、その構成も同一になされることができる。
【００８４】
また、第１胴体３１０及び第２胴体３２０は、圧出成形工程を通じて、第１方向に一定な断面を有するように製造されたものであることができる。
【００８５】
また、第１胴体３１０及び第２胴体３２０は、複数の主発光ダイオード３１４、３２４から発生された熱を効果的に放出できるように、アルミニウム(Ａｌ)、スズ(Ｓｎ)、ニッケル(Ｎｉ)、銀(Ａｇ)、銅(Ｃｕ)、チタン(Ｔｉ)、モリブデン(Ｍｏ)、タングステン(Ｗ)、金(Ａｕ)、白金(Ｐｔ)などの金属に形成されたものであることができる。
【００８６】
一般に、発光ダイオードを通じて出射される光の配光角度は、約１２０°程度になる。このように発光ダイオードが広い配光角度を有して光をそのまま放出する場合、放出される光の一部は、反射体２００によって反射されて、開口部１０１を通じて外部に放出されるが、残り一部は開口部１０１を通じて外部に直接放出されて使用者にとって眩しさ(glare)を感じさせる可能性がある。
【００８７】
このような問題点を解決するために、第１及び第２発光溝３１２、３２２は、発光ダイオード３１４、３２４でハウジング１００の外部に直接放出される光を遮断できるように形成されることができる。すなわち、第１及び第２発光溝３１２、３２２には底面３１６aから突出された突出部３１６ｂが形成されることで、その突出部３１６ｂによって発光ダイオード３１４、３２４でハウジング１００の外部に直接放出される光が遮られるようにすることができる。
【００８８】
これによって、発光溝３１６の突出部３１６ｂは、複数の発光ダイオード３１４、３２４を通じて出射される光が使用者に直接提供されないで、反射体２００の全領域に対して均一に入射されることができる。これによって、使用者に眩しさ(glare)が減少されて仄かな光を提供することができる。
【００８９】
また、第１及び第２発光溝３１２、３２２の深さと幅、突出部３１６ｂの高さ、底面３１０ｂの傾斜角、ハウジング１００の高さまたは反射体２００の幅などを調節することで、発光ダイオード３１４、３２４でハウジング１００の外部に放出される直接光を遮断することができる。
【００９０】
第１胴体３１０と第２胴体３２０には、反射体２００に向ける傾斜面が形成されるので、光源部３００の断面、すなわち、第１胴体３１０、第２胴体３２０、及び中間胴体３３０が結合されて形成される断面は、下端の幅が上端の幅より広いことがある。例えば、光源部３００の断面は、扇形または多角形の形状など多様な形態に具現されることができる。
【００９１】
３)中間胴体３３０
中間胴体３３０の下部３３０a両側面に第２挿入溝３３１がそれぞれ形成されることができる。第２挿入溝３３１はそれぞれ第１方向に延長されるように形成されて、第１胴体３１０の第１ヒンジ部３１１及び第２胴体３２０の第２ヒンジ部３２１が挿入されることができる。例えば、第１ヒンジ部３１１と第２ヒンジ部３２１が第２挿入溝３３１にそれぞれスライディング挿入方式を通じて挿入されることができる。これによって、中間胴体３３０の両側には第１胴体３１０及び第２胴体３２０が脱着自在に結合されることができる。また、第１胴体３１０及び第２胴体３２０はそれぞれ第１ヒンジ部３１１と第２ヒンジ部３２１を中心軸にして回転自在になるように結合されることができる。
【００９２】
中間胴体３３０の下部３３０a底面には補助発光ダイオードモジュール３３３、３３４、３３５が設置されることができる。より具体的に、中間胴体３３０の下部底面には第３発光溝３３２が形成されて、補助発光ダイオードモジュール３３３、３３４、３３５は第３発光溝３３２内に設置されることができる。補助発光ダイオードモジュール３３３、３３４、３３５は第２基板３３３、複数の補助発光ダイオード３３４、及び第２光学構造物３３５を含むことができる。  第２基板３３３は、第３発光溝３３２の内側上面に設置されることができる。
【００９３】
複数の補助発光ダイオード３３４は、第２基板３３３上に設置されて、第２基板３３３と電気的に連結される。または、第３発光溝３３２の内側上面に複数個の電極(図示せず)が設置されて、複数個の電極(図示せず)とそれぞれ電気的に連結されることもできる。
【００９４】
第２光学構造物３３５は、両側端が第３発光溝３３２の内側面に形成された第５溝３３２aにスライディング方式に挿入されて、第３発光溝３３２内に結合されることができる。より具体的に、第５溝３３２aは第１方向に長く延長されるように形成されることができるし、第２光学構造物３３５は第５溝３３２aに第１方向に挿入されることで第３発光溝３３２内に結合されることができる。
【００９５】
複数の補助発光ダイオード３３４は、電源駆動部４００から提供される電源及び/または駆動信号によって制御されて、選択的に発光するか、または輝度が調節されることができる。補助発光ダイオード３３４は、例えば、さらに多い照度が必要な場合、仄かな照明演出が必要な場合、または表示装置などに利用されることができる。
【００９６】
第２光学構造物３３５は、複数の補助発光ダイオード３３４上に設置されることができる。第２光学構造物３３５は複数の補助発光ダイオード３３４から放出される光の配光及び色感を調節する一方、必要によって多様な輝度及び色感を有する感性照明を具現することができる。
【００９７】
第２光学構造物３３５は、レンズ、拡散シート(diffusion sheet)、及び光励起フィルム(Phosphor Luminescent Film、ＰＬＦ)のうちで少なくとも一つを含むことができる。
レンズは照明装置の設計によって、凹型レンズ、凸型レンズ、集光レンズなど多様な形状を有するレンズらを含むことができる。
【００９８】
拡散シートは、複数の主発光ダイオード３１４から放出された光を均一に拡散させることができる。
【００９９】
光励起フィルム(ＰＬＦ)は、蛍光体を含むフィルムである。光励起フィルム(ＰＬＦ)に含まれた蛍光体は、複数の主発光ダイオード３１４から放出される光によって励起されるので、照明装置は複数の主発光ダイオード３１４から放出される第１光と蛍光体によって励起された第２光が混色されて多様な色感を有する感性照明を具現することができる。例えば、複数の主発光ダイオード３１４が青色光を発光して、光励起フィルム(ＰＬＦ)が青色光によって励起される黄色蛍光体を含む場合、照明装置は青色光及び黄色光が混色されて白色光を発光することができる。
【０１００】
第２光学構造物３３５は、第５溝３３２aを通じて第３発光溝３３２に容易に結合されることができるので、使用者の必要によってレンズ、拡散シート、光励起フィルムのうちでいずれか一つで容易に入れ替えされて使用されることができる。
【０１０１】
実施例による中間胴体３３０は、圧出成形工程を通じて、第１方向で一定な断面を有して、左右対称構造を有するように製造されたものであることができる。
【０１０２】
前述したところのように、第１胴体３１０、第２胴体３２０、及び中間胴体３３０が結合される場合、第１ヒンジ部３１１及び第２ヒンジ部３２１の外側面と第２挿入溝３３１の内側面が接触されることで、第１胴体３１０、第２胴体３２０、及び中間胴体３３０の間の熱を、放出経路で形成することができる。
【０１０３】
これによって、中間胴体３３０の下部３３０aは、放熱効果を高めるために、熱伝導性が高いアルミニウム(Ａｌ)、スズ(Ｓｎ)、ニッケル(Ｎｉ)、銀(Ａｇ)、銅(Ｃｕ)、チタン(Ｔｉ)、モリブデン(Ｍｏ)、タングステン(Ｗ)、金(Ａｕ)、白金(Ｐｔ)などの金属に形成されたものであることができる。中間胴体３３０上部３３０ｂには電気的な構成要素らが搭載されているので、熱が転移されないことが望ましい。よって、中間胴体３３０の上部は第１胴体３１０、第２胴体３２０、及び中間胴体３３０の下部から発生される熱が転移されることができないように熱伝導性が低いプラスチックなどの物質に形成されることができる。
【０１０４】
また、主発光ダイオード３１４、３２４及び補助発光ダイオード３３４から発生された熱は、光源部３００の胴体によって放出されるか、または結合部材１１０に伝達されて放出されることができる。すなわち、光源部３００が結合部材１１０の第１挿入溝１１２に挿入される場合、第１結合部３１０aと第２結合部３２０ｂは、第１挿入溝１１２の内側面との接触面積を有する。このように、第１結合部３１０aと第２結合部３２０ｂの一面が第１挿入溝１１２の内側面と接触することで、光源部３００から結合部材１００につながる熱伝導ルートが形成されることができる。この時、接触面積が広いほど放熱効果は増加することができるが、第１胴体３１０及び第２胴体３２０の高さが増加するようになって、結果的にハウジング１００の高さが増加されなければならない。よって、照明装置が最適の放熱効果を有するためには、接触面積とハウジング１００の高さとの関係を考慮しなければならない。また、光源部３００の胴体の一部分には凹凸が形成されて、熱を効果的に放出することができる。
【０１０５】
一方、ハウジング１００の結合部材１１０には、内側壁面が光源部３００の長さ程度に延長(即ち、第１方向に延長)される第１挿入溝１１２が設けられる。また、光源部３００には光源が直接接触する光源安着部と、結合部材１１０に設けられた第１挿入溝１１２の内側壁面と面接触をするように設けられた第１及び第２結合部３１０a、３２０aを含む。ここで、光源安着部は発光ダイオードが設置された発光溝と、その発光溝が形成された光源部３００の下部を意味する。
【０１０６】
照明装置が動作する場合、光源安着部で発生された熱が第１及び第２結合部３１０a、３２０aを通じて結合部材１１０に放出されることができる。このような場合、第１及び第２結合部３１０a、３２０aと第１挿入溝１１２の内側壁面が面接触をするようになることで、光源安着部で発生された熱が結合部材１１０に転移されることができる。この時、第１挿入溝１１２の内側壁面は、光源部３００の長さ程度に延長(即ち、第１方向に延長)されていて、第１及び第２結合部３１０a、３２０ｂとの接触面積が最大をなすようになる。これによって、照明装置の放熱効能が改善されることができる。
【０１０７】
一方、第１胴体３１０と第２胴体３２０との下部は、反射体２００を眺める傾斜面を有するように製造されるので、光源部３００の断面、すなわち第１胴体３１０、第２胴体３２０、中間胴体３３０が結合されている断面は、下端の幅が上端の幅より広いことがある。例えば、光源部３００の断面は扇形または多角形の形状を有することができる。しかし、これに限定されるものではなく、光源部３００の形状は多様な形状を有するように形成されることができる。
【０１０８】
４)スプリング３４０
スプリング３４０は、中間胴体３３０の上部または中央部分に配置されることができる。例えば、スプリング３４０は、図４ｂに示すところのように、“コ”字形であることがあって、中間胴体３３０の下部３３０aと上部３３０ｂとの間に配置されることができるし、中間胴体３３０の両側に第１胴体３１０及び第２胴体３２０が結合される場合、第１胴体３１０及び第２胴体３２０の内側面に接触されるように配置されることができる。
【０１０９】
スプリング３４０は、第１胴体３１０と第２胴体３２０との間の間隔が離れる方向で第１胴体３１０と第２胴体３２０とに弾性力を提供することができる。すなわち、スプリング３４０は第１胴体３１０と第２胴体３２０との間に配置されて、第１胴体３１０と第２胴体３２０をお互いに押し出す役割をする。よって、光源部３００を結合部材１１０に挿入する場合、第１胴体３１０と第２胴体３２０の上端に形成された突出端３１３は、スプリング３４０によって加えられる力によって、結合部材１１０の第１挿入溝１１２に堅く結合されることができる。
【０１１０】
５)第１連結端子１２０及び第２連結端子３３６
図７は、実施例による照明装置の第１連結端子１２０と第２連結端子３３６との結合関係を示した斜視図である。
【０１１１】
図７を参照すれば、結合部材１１０の第１挿入溝１１２には第１連結端子１２０が形成されて、光源部３００の中間胴体３３０上には第１連結端子１２０と結合される第２連結端子３３６が形成されることができる。
【０１１２】
第１連結端子１２０及び第２連結端子３３６は、光源部３００が第１挿入溝１１２に挿入されることによって結合されることができる。
【０１１３】
第１連結端子１２０は、第１雌ブロック１２１a及び第２雌ブロック１２１ｂを含むことができるし、これに限定されるものではなく、一対以上の雌ブロックを含むこともできる。例えば、第１雌ブロック１２１a内には一対の第１及び第２端子１２３a、１２３ｂと、また他の一対の第３及び第４端子１２３ｃ、１２３ｄが形成されることができる。また、第２雌ブロック１２１ｂ内には一対の第５及び第６端子１２３e、１２３ｆと、また他の一対の第７及び第８端子１２３g、１２３ｈが形成されることができる。
【０１１４】
第１雌ブロック１２１a及び第２雌ブロック１２１ｂは、お互いに対称的な構造を有するように形成される。すなわち、第１ないし第４端子１２３a、１２３ｂ、１２３ｃ、１２３ｄと第５ないし第８端子１２３e、１２３ｆ、１２３g、１２３ｈは第１雌ブロック１２１a及び第２雌ブロック１２１ｂの間を基準で左右対称構造に形成される。
【０１１５】
第２連結端子３３６は、第１雄ブロック３３６a及び第２雄ブロック３３６ｂを含むことができるし、これに限定されるものではなく、一対以上の雄ブロックを含むこともできる。
【０１１６】
例えば、第１雄ブロック３３６a上には一対の第１及び第２ソケット３３６a、３３６ｂと、また他の一対の第３及び第４ソケット３３７ｃ、３３７ｄが形成されることができる。また、第２雄ブロック３３６ｂ内には一対の第５及び第６ソケット３３７e、３３７ｆと、また他の一対の第７及び第８ソケット３３７g、３３７ｈが形成されることができる。
【０１１７】
第１雄ブロック３３６a及び第２雄ブロック３３６ｂは、お互いに対称的な構造を有するように形成される。すなわち、第１ないし第４ソケット３３７a、３３７ｂ、３３７ｃ、３３７ｄと第５ないし第８ソケット３３７e、３３７ｆ、３３７g、３３７ｈは第１雄ブロック３３６a及び第２雄ブロック３３６ｂの間を基準で左右対称構造に形成される。
【０１１８】
第１雌ブロック１２１aと第２雌ブロック１２１ｂの極性は、お互いに対称的になされることができる。
【０１１９】
第１及び第２端子１２３a、１２３ｂの極性は、第７及び第８端子１２３g、１２３ｈの極性と左右対称をなす。例えば、第１及び第２端子１２３a、１２３ｂの極性がそれぞれ‘＋’及び‘−’である場合、第７及び第８端子１２３g、１２３ｈの極性はそれぞれ‘−’及び‘＋’になって、第１及び第２端子１２３a、１２３ｂの極性がそれぞれ‘−’及び‘＋’である場合、第７及び第８端子１２３g、１２３ｈの極性はそれぞれ‘＋’及び‘−’になる。
【０１２０】
また、第３及び第４端子１２３ｃ、１２３ｄの極性は、第５及び第６端子１２３e、１２３ｆの極性と左右対称をなす。例えば、第３及び第４端子１２３ｃ、１２３ｄの極性がそれぞれ‘＋’及び‘−’である場合、第５及び第６端子１２３e、１２３ｆの極性はそれぞれ‘−’及び‘＋’になって、第３及び第４端子１２３ｃ、１２３ｄの極性がそれぞれ‘−’及び‘＋’である場合、第５及び第６端子１２３e、１２３ｆの極性はそれぞれ‘＋’及び‘−’になる。
【０１２１】
第１ないし第８ソケット３３７a、３３７ｂ、３３７ｃ、３３７ｄ、３３７e、３３７ｆ、３３７g、３３７ｈの極性は第１ないし第８端子１２３a、１２３ｂ、１２３ｃ、１２３ｄ、１２３e、１２３ｆ、１２３g、１２３ｈが有する極性によって多様になされることができる。
【０１２２】
結合部材１１０及び光源部３００を第１方向で結合する場合、第１及び第２端子１２３a、１２３ｂが第１及び第２ソケット３３７a、３３７ｂに挿入されて、第３及び第４端子１２３ｃ、１２３ｄが第３及び第４ソケット３３７ｃ、３３７ｄに挿入されて、第５及び第６端子１２３e、１２３ｆが第５及び第６ソケット３３７e、３３７ｆに挿入されて、第７及び第８端子１２３g、１２３ｈが第７及び第８ソケット３３７g、３３７ｈに挿入されることで、第１連結端子１２０及び第２連結端子３３６は電気的及び物理的に連結されることができる。
【０１２３】
また、結合部材１１０及び光源部３００を第２方向(第１方向と反対方向または左右が変わった方向)で結合する場合、第１及び第２端子１２３a、１２３ｂが第７及び第８ソケット３３７g、３３７ｈに挿入されて、第３及び第４端子１２３ｃ、１２３ｄが第５及び第６ソケット３３７e、３３７ｆに挿入されて、第５及び第６端子１２３e、１２３ｆが第３及び第４ソケット３３７ｃ、３３７ｄに挿入されて、第７及び第８端子１２３g、１２３ｈが第１及び第２ソケット３３７a、３３７ｂに挿入されることで、第１連結端子１２０及び第２連結端子３３６は電気的及び物理的に連結されることができる。
【０１２４】
このように、第１連結端子１２０及び第２連結端子３３６は左右対称的な構造及び極性を有するために、光源部３００は結合部材１１０と結合される方向にかかわらず物理的及び電気的に連結されることができる。これによって、実施例による照明装置１は、光源部３００を結合部材１１０により容易に結合させることができるので、利便性を高めることができる。
【０１２５】
一方、結合部材１１０及び光源部３００が結合される場合、第１及び第２端子１２３a、１２３ｂと、第７及び第８端子１２３g、１２３ｈは電源伝達のためのコネクターで使って、第３及び第４端子１２３ｃ、１２３ｄと、第５及び第６端子１２３e、１２３ｆは駆動信号などを伝達するためのコネクターで使用するか、または使わないこともある。
【０１２６】
これと反対に、第３及び第４端子１２３ｃ、１２３ｄと、第５及び第６端子１２３e、１２３ｆは電源伝達のためのコネクターで使用することができるし、第１及び第２端子１２３a、１２３ｂと、第７及び第８端子１２３g、１２３ｈは駆動信号などを伝達するためのコネクターで使用するか、または使わないこともある。
【０１２７】
６)リミットスイッチ３３７
中間胴体３３０の両側面にはリミットスイッチ３３７が設置されることができる。リミットスイッチ３３７は、第１胴体３１０及び第２胴体３２０が中間胴体３３０方向に動くことによって、オンまたはオフして、それによって発光ダイオードモジュールに供給される電源を遮断または連結できるように構成される。リミットスイッチ３３７に対する詳細な説明は後述するようにする。
【０１２８】
５．光源部３００及び結合部材１１０の脱着
図９及び図１０は、実施例による光源部３００及び結合部材１１０の結合及び分離過程を示した図面である。
【０１２９】
１)結合過程
先ず、図９に示されたところのように、光源部３００の第１胴体３１０及び第２胴体３２０に第１力(Ｆ)を加えて第１胴体３１０及び第２胴体３２０がなす間の角が小さくなるようにする。この時、第１力(Ｆ)はスプリング３４０によって加えられる弾性力の方向と反対方向であることができる。第１結合部３１０a及び第２結合部３２０aの下端部を、第１力(Ｆ)を加えながら押せば、第１結合部３１０a及び第２結合部３２０aの間の間隔が狭くなることで、第１胴体３１０及び第２胴体３２０がなす間の角が小さくなるようになる。
【０１３０】
第１力(Ｆ)を加えない場合、第１胴体３１０及び第２胴体３２０は、スプリング３４０から提供される弾性力によってお互いに離れている状態になるので、光源部３００を結合部材１１０の第１挿入溝１１２に挿入しにくい。
【０１３１】
次に、第１胴体３１０及び第２胴体３２０に第１力(Ｆ)を加えながら、光源部３００を結合部材１１０の第１挿入溝１１２に挿入する。
【０１３２】
図１０に示されたところのように、第１力(Ｆ)を加えなくなれば、弾性力によって第１胴体３１０及び第２胴体３２０の間隔が再び離れるようになって、光源部３００上端の突出端３１３は第１挿入溝１１２の内側面に形成された第３溝１１３に挿入されることができる。これによって、光源部３００が結合部材１１０に結合されることができる。
【０１３３】
また、光源部３００が結合部材１１０に結合される場合、第１胴体３１０及び第２胴体３２０との間に配置されたスプリング３４０が第１胴体３１０及び第２胴体３２０をお互いに押し出すので、突出端３１３は第３溝１１３にさらに堅く結合されることができる。
【０１３４】
また、スプリング３４０によって第１結合部３１０a及び第２結合部３２０aと、第１挿入溝１１２との間の接触面に均一な圧力が持続的に加えられるようになる。これによって、光源部３００から発生する熱は、第１結合部３１０a及び第２結合部３２０aと、結合部材１１０の接触面を通じてより効率的に転移されることができるようになる。
【０１３５】
２)分離過程
光源部３００の維持補修が必要な場合には、結合部材１１０から光源部３００を分離することができる。
【０１３６】
結合部材１１０から光源部３００を分離する場合、第１胴体３１０及び第２胴体３２０に第１力(Ｆ)を加えて第１胴体３１０及び第２胴体３２０がなす間の角が小さくなるようにした後に、光源部３００を結合部材１１０から分離する。
【０１３７】
６．リミットスイッチの例
図１１aは、実施例による機械式リミットスイッチの動作を説明するために示した図面である。図１１ｂは、実施例によるセンサー方式のリミットスイッチの動作を説明するために示した図面である。
【０１３８】
実施例によるリミットスイッチは、機械式リミットスイッチまたはセンサー方式のリミットスイッチを適用することができる。
【０１３９】
１)機械式リミットスイッチ
第１胴体３１０及び第２胴体３２０に第１力(Ｆ)を加える場合、第１力(Ｆ)によって第１胴体３１０及び第２胴体３２０が中間胴体３３０方向に回転することで、第１胴体３１０及び第２胴体３２０の内側面が中間胴体３３０の両側面に近接するようになる。第１胴体３１０及び第２胴体３２０は、それぞれ中間胴体３３０の両側面にある程度近接するようになれば、リミットスイッチ３３７と接触するようになる。この時、中間胴体３３０の両側面に設置されたリミットスイッチ３３７は、第１胴体３１０及び第２胴体３２０によってボタン方式で押されて、これによってターンオフされることができる。このような場合、リミットスイッチ３３７は第２連結端子３３６と発光ダイオードモジュールの間を電気的に分離することができる。
【０１４０】
次に、光源部３００が結合部材１１０に完全に結合された後、第１胴体３１０及び第２胴体３２０の間の距離が遠くなることによって、リミットスイッチ３３７はターンオンされることで、第２連結端子３３６と発光ダイオードモジュールの間は再び電気的に連結されることができる。
【０１４１】
２)センサー方式のスイッチ
第１胴体３１０及び第２胴体３２０に第１力(Ｆ)を加える場合、第１力(Ｆ)によって第１胴体３１０及び第２胴体３２０が中間胴体３３０方向に回転することで、第１胴体３１０及び第２胴体３２０の内側面が中間胴体３３０の両側面に近接するようになる。この時、中間胴体３３０の両側面に設置されたリミットスイッチ３３７は第１胴体３１０及び第２胴体３２０の動きを感知するようになる。
【０１４２】
感知方法としては、第１胴体３１０及び第２胴体３２０によって加えられる圧力の強さを利用する方法と、第１胴体３１０及び第２胴体３２０から測定される磁場の強さを利用する方法がある。
【０１４３】
圧力の強さを利用するリミットスイッチ３３７は、圧力センサーを含むことができる。このようなリミットスイッチ３３７は第１胴体３１０及び第２胴体３２０によって加えられる圧力の強さを測定して、測定された圧力の強さが既設定された圧力の強さより大きい場合、ターンオフされる。このような場合、リミットスイッチ３３７はこれを入れ替え動作で認識して、光源部３００に供給される電源を遮断するための制御信号を生成することができる。
【０１４４】
以後、第１連結端子１２０と第２連結端子３３６が連結されれば、リミットスイッチ３３７によって生成された制御信号は、図１１ｂに示されたところのように、第１連結端子１２０と第２連結端子３３６を通じて電源駆動部４００に出力されることができる。これによって、電源駆動部４００は制御信号によって電源出力が遮られることができる。
【０１４５】
次に、光源部３００が結合部材１１０に完全に結合された後、第１力(Ｆ)が減少されることによって、リミットスイッチ３３７と、第１胴体３１０及び第２胴体３２０の間の距離が遠くなるようになる。リミットスイッチ３３７から第１胴体３１０及び第２胴体３２０がますます遠くなることによって、第１胴体３１０及び第２胴体３２０によって加えられる圧力の強さが期設定された圧力の強さより小さくなるようになる。このような場合、リミットスイッチ３３７はターンオンされることで、制御信号が出力されなくなる。このような場合、第２連結端子３３６と発光ダイオードモジュールとの間は再び電気的に連結されることができる。
【０１４６】
磁場の強さを利用するリミットスイッチ３３７は、磁気センサーを含むことができる。リミットスイッチ３３７の場合も、圧力センサーを利用するリミットスイッチ３３７の電気的な動作方式と同一である。但し、磁気センサーを利用するリミットスイッチ３３７の場合、それと対応する第１胴体３１０及び第２胴体３２０の内側面に磁石を設置して、第１及び第２胴体３１０、３２０と中間胴体３３０との間の距離による磁場の強さを測定できるようにする。
【０１４７】
磁気センサーを利用するリミットスイッチ３３７は、非接触方式を通じて物体の有無、接近または位置などを認識することができる。このように非接触方式を利用するリミットスイッチ３３７は、前述した磁気センサーだけではなく、多様な近接センサーを利用して具現されることができる。
【０１４８】
一方、中間胴体３３０はリミットスイッチ３３７を駆動するための別途の独立電源を具備することができる。
【０１４９】
実施例によれば、光源部３００の設置または維持補修のための入れ替えが必要な場合、照明装置が活線状態にあっても、リミットスイッチ３３７を利用して光源部３００を安全に脱付着させることができる。
[変形例]
図１２及び図１３は、変形例による照明装置の光源部３００と結合部材１１０の断面図である。変形例による照明装置の説明において、前で説明したものと重複される内容は略するようにする。
【０１５０】
図１２及び図１３を参照すれば、照明装置の結合部材１１０の第１挿入溝１１２の内側面には複数の第３溝１１３a、１１３ｂ、１１３ｃが形成されることができる。第３溝１１３a、１１３ｂ、１１３ｃは三つが形成されるものとして示されたが、その数に対しては限定しない。
【０１５１】
光源部３００は、第１挿入溝１１２内に挿入されて結合される。この時、光源部３００上端の突出端３１３は複数の第３溝１１３a、１１３ｂ、１１３ｃのうちいずれか一つに挿入されて、光源部３００を結合部材１１０に堅く結合することができる。
【０１５２】
図１２に示されたところのように、複数の第３溝１１３a、１１３ｂ、１１３ｃの形成深さは、お互いに相異に形成されることができるし、光源部３００の突出端３１３が複数の第３溝１１３a、１１３ｂ、１１３ｃのうちでどの溝に挿入されるかによって、照明装置の配光が多様に調節されることができる。
【０１５３】
また、図１３に示されたところのように、第１挿入溝１１２の内側面が傾斜を有して、複数の第３溝１１３a、１１３ｂ、１１３ｃが傾斜を有する第１挿入溝１１２の内側面に形成される場合には、突出端３１３が複数の第３溝１１３a、１１３ｂ、１１３ｃのうちどの溝に挿入されるかによって、光源部３００の第１胴体３１０及び第２胴体３２０がなす間の角が変化することができるので、照明装置の配光が多様に調節されることができる。
【０１５４】
前述したところのように、第１挿入溝１１２の内側面に複数の第３溝１１３a、１１３ｂ、１１３ｃを形成することで、照明装置の配光を多様に調節することができる。これによって、反射体２００の幅や曲率が変化する場合などにも光源部３００の入れ替えなしに効率的な照明を提供することができる。
【０１５５】
以上で見るところのように、本発明が属する技術分野の当業者は、本発明がその技術的思想や必須特徴を変更しなくても、他の具体的な形態で実施されることができるということを理解することができるであろう。
【０１５６】
それで、以上で記述した実施例は、すべての面で例示的なものであり、限定的なものではないものとして理解しなければならないし、本発明の範囲は前記詳細な説明よりは後述する特許請求範囲によって現わされて、特許請求範囲の意味及び範囲、そしてその等価概念から導出されるすべての変更または変形された形態が本発明の範囲に含まれるものとして解釈されなければならない。
【符号の説明】
【０１５７】
１００  ハウジング
１１０  結合部材
２００  反射体
３００  光源部
４００  電源駆動部
【図１】
0005591624.tif 000002
【図２】
0005591624.tif 000003
【図３】
0005591624.tif 000004
【図４ａ】
0005591624.tif 000005
【図４ｂ】
0005591624.tif 000006
【図４ｃ】
0005591624.tif 000007
【図５】
0005591624.tif 000008
【図６】
0005591624.tif 000009
【図７】
0005591624.tif 000010
【図８ａ】
0005591624.tif 000011
【図８ｂ】
0005591624.tif 000012
【図９】
0005591624.tif 000013
【図１０】
0005591624.tif 000014
【図１１ａ】
0005591624.tif 000015
【図１１ｂ】
0005591624.tif 000016
【図１２】
0005591624.tif 000017
【図１３】
0005591624.tif 000018